【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
図柄を変動させて行う図柄変動ゲームを行う表示手段を備え、前記図柄変動ゲームにおいて予め定めた大当り表示結果が表示された場合には、遊技者に有利となる大当り遊技が生起される遊技機において、
前記大当り遊技において開放可能な特別入賞手段と、
報知を行う報知手段と、
前記報知手段による報知を制御する報知制御手段と、
前記特別入賞手段への遊技球の入賞に応じて前記報知制御手段に報知に関する指示を行う報知指示手段と、を備え、
前記報知指示手段は、前記特別入賞手段への遊技球の入賞を契機に、該入賞に関する入賞関連コマンドを前記報知制御手段に出力し、
前記報知制御手段は、前記入賞関連コマンドに基づいて、大当り遊技中における前記特別入賞手段への遊技球の入賞による第１累積賞球数から、少なくとも該遊技球の入賞数を減算した第２累積賞球数に関する報知を前記報知手段に行わせ得る制御を行う遊技機。
【請求項２】
前記報知指示手段は、電源の投入に伴い、前記特別入賞手段への遊技球の入賞毎に予め定められた賞球数から１を減算した獲得数を示す獲得数コマンドを前記報知制御手段に出力し、
前記報知制御手段は、前記獲得数コマンドと前記入賞関連コマンドとに基づいて、大当り遊技中における前記特別入賞手段への遊技球の累積獲得数を前記第２累積賞球数として計数し、その計数された第２累積賞球数は、前記賞球数から１を減算した獲得数を示す獲得数コマンドをもとに計数されることによって前記第１累積賞球数から前記遊技球の入賞数を減算した数となり、前記累積獲得数に関する報知を、前記第２累積賞球数に関する報知として前記報知手段に行わせる制御を行う請求項１に記載の遊技機。
【請求項３】
前記第１累積賞球数には、大当り遊技中に前記特別入賞手段以外の入賞手段へ入賞した場合の累積賞球数を含み、
前記報知制御手段は、前記第１累積賞球数から、前記特別入賞手段及び前記特別入賞手段以外の入賞手段への遊技球の入賞数を減算した数を前記第２累積賞球数とし、その第２累積賞球数に関する報知を前記報知手段に行わせる制御を行う請求項１又は請求項２に記載の遊技機。
【請求項４】
前記特別入賞手段に入賞しない遊技球の一部又は全部を遊技盤の外部に排出するための排出手段を備え、
前記報知制御手段は、前記第１累積賞球数から前記遊技球の入賞数と前記排出手段から排出された遊技球の数をそれぞれ減算した数を前記第２累積賞球数とし、その第２累積賞球数に関する報知を前記報知手段に行わせる制御を行う請求項１〜請求項３のうち何れか一項に記載の遊技機。
【請求項５】
前記第１累積賞球数から減算するための減算数を設定する減算数設定手段を備え、
前記報知制御手段は、前記減算数設定手段により設定された減算数を前記第１累積賞球数から減算した第２累積賞球数に関する報知を前記報知手段に行わせる制御を行う請求項１に記載の遊技機。
【請求項６】
前記報知手段は、表示演出を行う表示装置であり、
前記報知制御手段は、前記表示装置の表示態様を制御する表示制御基板であり、
前記表示制御基板は、コマンド入力によって前記第２累積賞球数を計数し、前記第２累積賞球数に関する報知を前記表示装置に行わせる制御を行う請求項１〜請求項５のうち何れか一項に記載の遊技機。
【手続補正２】
【補正対象書類名】明細書
【補正対象項目名】０００８
【補正方法】変更
【補正の内容】
【０００８】
請求項２に記載の発明は、請求項１に記載の遊技機において、前記報知指示手段は、電源の投入に伴い、前記特別入賞手段への遊技球の入賞毎に予め定められた賞球数から１を減算した獲得数を示す獲得数コマンドを前記報知制御手段に出力し、前記報知制御手段は、前記獲得数コマンドと前記入賞関連コマンドとに基づいて、大当り遊技中における前記特別入賞手段への遊技球の累積獲得数を前記第２累積賞球数として計数し、その計数された第２累積賞球数は、前記賞球数から１を減算した獲得数を示す獲得数コマンドをもとに計数されることによって前記第１累積賞球数から前記遊技球の入賞数を減算した数となり、前記累積獲得数に関する報知を、前記第２累積賞球数に関する報知として前記報知手段に行わせる制御を行うことを要旨とする。
【手続補正３】
【補正対象書類名】明細書
【補正対象項目名】０００９
【補正方法】変更
【補正の内容】
【０００９】
請求項３に記載の発明は、請求項１又は請求項２に記載の遊技機において、前記第１累積賞球数には、大当り遊技中に前記特別入賞手段以外の入賞手段へ入賞した場合の累積賞球数を含み、前記報知制御手段は、前記第１累積賞球数から、前記特別入賞手段及び前記特別入賞手段以外の入賞手段への遊技球の入賞数を減算した数を前記第２累積賞球数とし、その第２累積賞球数に関する報知を前記報知手段に行わせる制御を行うことを要旨とする。
【手続補正４】
【補正対象書類名】明細書
【補正対象項目名】００１０
【補正方法】変更
【補正の内容】
【００１０】
請求項４に記載の発明は、請求項１〜請求項３のうち何れか一項に記載の遊技機において、前記特別入賞手段に入賞しない遊技球の一部又は全部を遊技盤の外部に排出するための排出手段を備え、前記報知制御手段は、前記第１累積賞球数から前記遊技球の入賞数と前記排出手段から排出された遊技球の数をそれぞれ減算した数を前記第２累積賞球数とし、その第２累積賞球数に関する報知を前記報知手段に行わせる制御を行うことを要旨とする。
【手続補正５】
【補正対象書類名】明細書
【補正対象項目名】００１１
【補正方法】変更
【補正の内容】
【００１１】
請求項５に記載の発明は、請求項１に記載の遊技機において、前記第１累積賞球数から減算するための減算数を設定する減算数設定手段を備え、前記報知制御手段は、前記減算数設定手段により設定された減算数を前記第１累積賞球数から減算した第２累積賞球数に関する報知を前記報知手段に行わせる制御を行うことを要旨とする。
【手続補正６】
【補正対象書類名】明細書
【補正対象項目名】００１２
【補正方法】変更
【補正の内容】
【００１２】
請求項６に記載の発明は、請求項１〜請求項５のうち何れか一項に記載の遊技機において、前記報知手段は、表示演出を行う表示装置であり、前記報知制御手段は、前記表示装置の表示態様を制御する表示制御基板であり、前記表示制御基板は、コマンド入力によって前記第２累積賞球数を計数し、前記第２累積賞球数に関する報知を前記表示装置に行わせる制御を行うことを要旨とする。
【手続補正７】
【補正対象書類名】明細書
【補正対象項目名】０２１５
【補正方法】変更
【補正の内容】
【０２１５】
次に、上記実施形態及び別例から把握できる技術的思想を以下に追記する。
（イ）前記特別入賞手段とは別に、遊技球の入賞に応じた賞球数が異なる通常入賞手段を備え、前記報知指示手段は、前記通常入賞手段への遊技球の入賞を契機に、該入賞に関する第２入賞関連コマンドを前記報知制御手段に出力し、前記報知制御手段は、前記第２入賞関連コマンドに基づいて、大当り遊技中における前記通常入賞手段への遊技球の入賞による第１通常累積賞球数から、少なくとも該遊技球の入賞数を減算した第２通常累積賞球数に関する報知を前記報知手段に行わせ得る制御を行い、大当り遊技中における前記特別入賞手段への遊技球の入賞による前記第２累積賞球数と、前記通常入賞手段への遊技球の入賞による第２通常累積賞球数とに関する報知を前記報知手段に行わせる制御を行う。
【手続補正８】
【補正対象書類名】明細書
【補正対象項目名】０２１６
【補正方法】変更
【補正の内容】
【０２１６】
（ロ）前記報知指示手段は、電源の投入に伴い、前記特別入賞手段への遊技球の入賞毎に予め定められた賞球数を示す賞球数コマンドを前記報知制御手段に出力し、前記報知制御手段は、前記賞球数コマンドと前記入賞関連コマンドとに基づいて、大当り遊技中における前記特別入賞手段への遊技球の入賞による第１累積賞球数から、該遊技球の入賞数を減算した累積獲得数を前記第２累積賞球数として計数し、該累積獲得数に関する報知を前記報知手段に行わせ得る制御を行う。
【手続補正９】
【補正対象書類名】明細書
【補正対象項目名】０２１７
【補正方法】変更
【補正の内容】
【０２１７】
（ハ）前記特別入賞手段とは別に、遊技球の入賞に応じた賞球数が異なる通常入賞手段を備え、前記報知指示手段は、電源の投入に伴い、前記通常入賞手段への遊技球の入賞毎に予め定められた第２賞球数から１を減算した第２獲得数を示す第２獲得数コマンドを前記報知制御手段に出力し、前記大当り遊技が行なわれているか否かに拘わらず、前記通常入賞手段への遊技球の入賞を契機に、前記通常入賞手段への遊技球の入賞を示す第３入賞コマンドを前記報知制御手段に出力し、前記報知制御手段は、前記報知指示手段から出力された前記第２獲得数コマンドと、前記第３入賞コマンドとに基づいて、前記通常入賞手段への遊技球の通常累積賞球数に関する報知を前記報知手段に行わせる制御を行う。